(57)【要約】【課題】意識していなくてもスイッチの少ない操作回数で調光モードにすることができ、調光モードを設定するための複雑な機械的な構造を必要としない調光装置を提供する。【解決手段】電源スイッチＳＷの操作に基づいて放電灯１１および保安球１２の点灯・消灯と照度を制御する点灯制御回路１６を備えた照明装置１０であって、点灯制御回路１６は、放電灯１１および保安球１２を消灯させている消灯モード中に電源スイッチＳＷがオンされたとき、放電灯１１の照度を連続的に変えていく第１調光モードとなり、この第１調光モードの際中に、電源スイッチＳＷがオンされてから所定時間が経過したとき、放電灯１１を予め設定した設定照度で点灯維持させ、その所定時間が経過する前に、電源スイッチＳＷが予め設定した設定時間内でオフ−オン操作されたとき、そのオフされた際の放電灯１１の照度でその放電灯１１を点灯維持させる。【選択図】  図１
2010113877.tif 000002
【特許請求の範囲】
【請求項１】
電源スイッチの操作に基づいて第１，第２発光手段の点灯・消灯と照度を制御する制御手段を備えた照明装置であって、
前記制御手段は、前記第１，第２発光手段を消灯させている消灯モード中に前記電源スイッチがオンされたとき、第１発光手段の照度を連続的に変えていく第１調光モードとなり、
この第１調光モードの際中に、前記電源スイッチがオンされてから所定時間が経過したとき、前記第１発光手段を予め設定した設定照度で点灯維持させ、
その所定時間が経過する前に、前記電源スイッチが予め設定した設定時間内でオフ−オン操作されたとき、そのオフされた際の第１発光手段の照度で該第１発光手段を点灯維持させることを特徴とする照明装置。
【請求項２】
前記制御手段は、第１発光手段を前記設定照度または前記オフの時点の照度で点灯維持させている際、前記電源スイッチがオフ−オン操作されたとき、第１発光手段を消灯させるとともに、そのオフ−オン操作された電源スイッチのオフ期間が予め設定されている設定時間以内のとき、第２発光手段を点灯させるとともにこの第２発光手段の照度を連続的に変えていく第２調光モードとなり、
この第２調光モードの際中に、前記電源スイッチがオフ−オン操作されたとき、このときの電源スイッチのオフ期間が予め設定されている設定時間以内のとき、そのオフされた際の第２発光手段の照度で該第２発光手段を点灯維持させ、
前記電源スイッチのオフ期間が予め設定されている設定時間を越えるとき、前記第２発光手段を予め設定した設定照度で点灯維持させることを特徴とする請求項１に記載の照明装置。
【請求項３】
前記第２発光手段が前記オフの際の照度で点灯維持されている場合、予め設定されている設定時間以内で前記電源スイッチがオフ−オン操作されたとき、該第２発光手段が消灯され、前記オフの際の照度で点灯維持された照度で第１発光手段が点灯維持されることを特徴とする請求項２に記載の照明装置。
【請求項４】
第１調光モードは、照度の漸減と漸増とを交互に一定の周期で繰り返されるとともに、最大照度または最小照度になったとき、この最大照度または最小照度を一定時間維持することを特徴とする請求項１ないし請求項３のいずれか１つに記載の照明装置。
【請求項５】
第２調光モードは、照度の漸減と漸増とを交互に一定の周期で繰り返されるとともに、最大照度または最小照度になったとき、この最大照度または最小照度を一定時間維持することを特徴とする請求項２または請求項３に記載の照明装置。
【請求項６】
前記第１発光手段が放電灯であり、第２発光手段が保安球であり、
前記放電灯がオフされた際の照度で点灯維持されるとき、最初に最大照度で点灯された後にその照度で点灯維持されることを特徴とする請求項１ないし請求項５のいずれか１つに記載の照明装置。
【請求項７】
前記オフされた際の第１発光手段の照度は、そのオフされた時点から所定時間だけ前後した時点の第１発光手段の照度であることを特徴とする請求項１に記載の照明装置。
【請求項８】
前記オフされた際の第２発光手段の照度は、そのオフされた時点から所定時間だけ前後した時点の第２発光手段の照度であることを特徴とする請求項２に記載の照明装置。
【発明の詳細な説明】
【技術分野】
【０００１】
この発明は、電源スイッチのオン・オフ操作によって発光手段の点灯・消灯の他に調光も行うようになっている照明装置に関する。
【背景技術】
【０００２】
従来から、操作スイッチの操作に基づいて光源の照度を連続的に変化させる連続調光制御モードが設定される照明装置が知られている（特許文献１，２参照）。
【０００３】
特許文献１に記載の照明装置は、最初に操作スイッチがオンされると、光源は１００％で点灯され、この点灯中に操作スイッチがオフ−オンされると、そのときのオフ時間が所定時間未満であれば連続調光制御モードとなり、光源の出力が０％から１００％へ漸増されていき、この漸増の際に操作スイッチをオフ−オンさせると、そのときのオフ時間が所定時間未満であれば、光源がそのオフ時の出力に設定されてこの出力で点灯維持されるようになっている。
【０００４】
特許文献２に記載の照明装置は、２つの切換用接点ＳＷ１，ＳＷ２と、切換用接点ＳＷ１，ＳＷ２の開閉を行うために軸を中心に回動する回動体と、この回動体の突出部に設けた操作用紐と、ラチェット機構により回動体の回動に連動して回動する制御板と、回動体の突出部の移動領域に設けた調光用接点ＳＷ３等とを備えている。
【０００５】
そして、操作用紐を引くと回動体が回動するとともに制御板が歩進して所定位置まで回動し、操作用紐を放すと、回動板はバネの付勢力によって初期位置へ戻り、制御板はラチェット機構により歩進した位置に停止したままとなる。すなわち、操作用紐を引く毎に制御板が歩進して回動していき、この制御板の回動位置によって切換用接点ＳＷ１，ＳＷ２がオンやオフし、また、回動体の突出部によって調光用スイッチＳＷ３がオン・オフし、これらスイッチＳＷ１〜ＳＷ３のオン・オフに基づいて制御回路が全光や調光を行うようにしたものである。
【特許文献１】特許第３５０８１７５号公報
【特許文献２】特公昭６２−４８３８号公報
【発明の開示】
【発明が解決しようとする課題】
【０００６】
しかしながら、前者の照明装置にあっては、電源スイッチをオンにして光源を１００％点灯させた後、所定時間内に電源スイッチをオフ−オン操作しなければ調光モードにならず、また、調光モードになった後、所望の照度になったら電源スイッチを所定時間内でオフ−オン操作するため、光源を所望の照度にするには、電源スイッチを何回も操作しなければならず、非常に面倒であり、しかも最初は１００％点灯から入るため、意識していなければ１００％点灯したまま使用してしまい、省エネモード（調光モード）での使用がし難いという問題がある。
【０００７】
後者の照明装置にあっては、回動体，制御板，ラチェット機構，スイッチＳＷ１〜ＳＷ３等を設けなければならず、機械的な構造が複雑であり、しかも操作用紐を引いて離し、再度操作用紐を引いて離さなければ光源を所望の照度にすることができず、このためその操作紐の操作回数が多く、その操作が面倒であるという問題がある。さらに、最初は１００％点灯から入った後に、操作紐の操作によって調光モードへ移行するため、上記と同様に省エネモード（調光モード）での使用がし難いという問題がある。
【０００８】
この発明の目的は、意識していなくてもスイッチの少ない操作回数で調光モードにすることができ、調光モードを設定するための複雑な機械的な構造を必要としない調光装置を提供することにある。
【課題を解決するための手段】
【０００９】
請求項１の発明は、電源スイッチの操作に基づいて第１，第２発光手段の点灯・消灯と照度を制御する制御手段を備えた照明装置であって、
前記制御手段は、前記第１，第２発光手段を消灯させている消灯モード中に前記電源スイッチがオンされたとき、第１発光手段の照度を連続的に変えていく第１調光モードとなり、
この第１調光モードの際中に、前記電源スイッチがオンされてから所定時間が経過したとき、前記第１発光手段を予め設定した設定照度で点灯維持させ、
その所定時間が経過する前に、前記電源スイッチが予め設定した設定時間内でオフ−オン操作されたとき、そのオフされた際の第１発光手段の照度で該第１発光手段を点灯維持させることを特徴とする。
【００１０】
請求項２の発明は、前記制御手段は、第１発光手段を前記設定照度または前記オフの時点の照度で点灯維持させている際、前記電源スイッチがオフ−オン操作されたとき、第１発光手段を消灯させるとともに、そのオフ−オン操作された電源スイッチのオフ期間が予め設定されている設定時間以内のとき、第２発光手段を点灯させるとともにこの第２発光手段の照度を連続的に変えていく第２調光モードとなり、
この第２調光モードの際中に、前記電源スイッチがオフ−オン操作されたとき、このときの電源スイッチのオフ期間が予め設定されている設定時間以内のとき、そのオフされた際の第２発光手段の照度で該第２発光手段を点灯維持させ、
前記電源スイッチのオフ期間が予め設定されている設定時間を越えるとき、前記第２発光手段を予め設定した設定照度で点灯維持させることを特徴とする。
【００１１】
請求項３の発明は、前記第２発光手段が前記オフの際の照度で点灯維持されている場合、予め設定されている設定時間以内で前記電源スイッチがオフ−オン操作されたとき、該第２発光手段が消灯され、前記オフの際の照度で点灯維持された照度で第１発光手段が点灯維持されることを特徴とする。
【００１２】
請求項４の発明は、第１調光モードは、照度の漸減と漸増とを交互に一定の周期で繰り返されるとともに、最大照度または最小照度になったとき、この最大照度または最小照度を一定時間維持することを特徴とする。
【００１３】
請求項５の発明は、第２調光モードは、照度の漸減と漸増とを交互に一定の周期で繰り返されるとともに、最大照度または最小照度になったとき、この最大照度または最小照度を一定時間維持することを特徴とする。
【００１４】
請求項６の発明は、前記第１発光手段が放電灯であり、第２発光手段が保安球であり、
前記放電灯がオフされた際の照度で点灯維持されるとき、最初に最大照度で点灯された後にその照度で点灯維持されることを特徴とする。
【００１５】
請求項７の発明は、前記オフされた際の第１発光手段の照度は、そのオフされた時点から所定時間だけ前後した時点の第１発光手段の照度であることを特徴とする。
【００１６】
請求項８の発明は、前記オフされた際の第２発光手段の照度は、そのオフされた時点から所定時間だけ前後した時点の第２発光手段の照度であることを特徴とする。
【発明の効果】
【００１７】
この発明によれば、意識していなくてもスイッチの少ない操作回数で調光モードにすることができ、調光モードを設定するための複雑な機械的な構造が不要となる。
【発明を実施するための最良の形態】
【００１８】
以下、この発明に係る照明装置の実施の形態である実施例を図面に基づいて説明する。
【実施例】
【００１９】
図１に示す照明装置１０は、放電灯（第１発光手段）１１や保安球（第２発光手段）１２の点灯・消灯や調光を行う点灯回路１３と、電源スイッチＳＷの投入・遮断（オン・オフ）を検出する電源投入・遮断検出回路（オン・オフ検出回路）１４と、この電源投入・遮断検出回路１４が検出する電源投入・遮断の投入している時間や遮断している時間を計測する計測回路１５と、この計測回路１５の計測結果（計測時間）と電源投入・遮断検出回路１４の検出とに基づいて点灯回路１３を制御する点灯制御回路（制御手段）１６とを備えている。 電源スイッチＳＷは、例えば部屋の壁に設けられているスイッチである。なお、１７は交流電源である。
【００２０】
電源投入・遮断検出回路１４は、例えば電源線Ｌ１，Ｌ２間の電圧と基準電圧とを比較して、電源が投入されているか否かを判断するものである。
【００２１】
計測回路１５は、電源投入・遮断検出回路１４が電源の投入を検出している間だけ計時する第１内部タイマ（図示せず）と、電源投入・遮断検出回路１４が電源の遮断を検出している間だけ計時する第２内部タイマ（図示せず）等とを備えている。なお、第１内部タイマは、電源が遮断されるとその計時を停止してリセットし、第２内部タイマは、電源が投入されるとその計時を停止してリセットするようになっている。
【００２２】
点灯回路１３は、ハーフブリッジ回路で代表されるようなＤＣ−矩形波変換を行い、この矩形波をＬＣ共振回路により正弦波を発生させて、この正弦波を放電灯１１に印加する回路構成であり、矩形波をパルスワイド変調することにより放電灯１１の調光を行うものである。白熱灯の場合には、トライアックによる位相制御や低電圧高周波を印加する回路構成で調光を行い、ミニハロゲンランプの場合には、印加する低電圧高周波の電圧・電流を変えることにより調光を行う回路構成のものである。
【００２３】
また、点灯回路１３は、保安球１２を点灯させる保安球点灯回路（図示せず）等を有し、この保安球点灯回路は、例えばトライアックによる位相制御で保安球１２の調光を行うようになっている。
【００２４】
点灯制御回路１６は、マイクロコンピュータやロジックＩＣやアナログＩＣなどから構成され、計測回路１５の第１，第２内部タイマの計時時間や電源投入・遮断検出回路１４の検出に基づいて、点灯回路１３の上記の矩形波をパルスワイド変調したり、その矩形波を発生させたり停止させたりするものである。これにより、放電灯１１の調光や点灯・消灯を行うものである。また、保安球点灯回路を位相制御することで、保安球１２の調光や点灯・消灯を行う。
［動  作］
次に、上記のように構成される照明装置１０の動作を図２に示すタイムチャートに基づいて説明する。
【００２５】
先ず、放電灯１１および保安球１２が消灯しているとき、すなわち消灯モードのとき、図２に示すように電源スイッチＳＷがオン（投入）されると（時点Ｔ１）、電源投入・遮断検出回路１４が電源の投入を検出し、この検出に基づいて点灯制御回路１６は第１連続調光モード（第１調光モード）を設定して点灯回路１３を連続調光制御していく。
【００２６】
一方、電源投入・遮断検出回路１４が電源の投入を検出すると、計測回路１５の第１内部タイマが計時を開始し、電源が投入されている間、第１内部タイマは計時し続ける。
【００２７】
連続調光制御は、放電灯１１を１００％で一定時間点灯させた後、放電灯１１の照度を１０％まで漸減させていく。この１０％照度を一定時間維持した後、放電灯１１の照度を１００％まで漸増させていき、これら照度の漸減と漸増を電源スイッチＳＷが投入（オン）されている間だけ所定の周期で繰り返し行う。
【００２８】
次に、第１内部タイマの計時時間が時間ｔ１に達する前に、すなわち、時点Ｔ１から所定時間ｔ１以内で電源スイッチＳＷがオフ（遮断）されると（時点Ｔ２）、この時点Ｔ２からｔ２だけ戻った時点Ｔ２′の放電灯１１の照度が図示しない内部メモリに記憶され、放電灯１１は消灯される。時点Ｔ２′の照度は時点Ｔ２の照度を元にして算出するものである。
【００２９】
電源スイッチＳＷがオフにより第１内部タイマがリセットされ、第２内部タイマが計時を開始する。
【００３０】
そして、第２内部タイマの計時時間が所定時間ｔ３に達する前に、すなわち、電源スイッチＳＷが時点Ｔ２から所定時間ｔ３以内でオンされると（時点Ｔ３）、放電灯１１は１００％の照度で点灯され、この後、上記の内部メモリに記憶された照度で放電灯１１が点灯される。一方、電源スイッチＳＷのオンにより（時点Ｔ３）、第２内部タイマがリセットされ、第１内部タイマが計時を開始する。
【００３１】
このように、消灯モードのとき電源スイッチＳＷをオンすると、第１連続調光モードとなって放電灯１１が点灯されるとともにその照度が連続的に変化していき、所望の照度になったとき電源スイッチＳＷをオフすれば、その照度を選択することができるので、所望の照度の選択が容易なものとなる。しかも、照度の漸減と増減が繰り返し行われるので、最初に選択し損ねても次に所望の照度になったとき確実に選択することができる。
【００３２】
しかも、電源スイッチＳＷをオフした時点Ｔ２よりも所定時間ｔ２だけ戻った時点Ｔ２′の照度が選択されることになるので、操作者が所望の照度となったことを判断してから実際に電源スイッチＳＷをオフするまでの操作遅れを補正することができ、所望の照度の選択を確実に行うことができることになる。ここで、所定時間ｔ２は、例えば０．２秒ないし０．７秒程度の時間であり、好ましくは０．５秒程度がよい。
【００３３】
また、消灯モードで電源スイッチＳＷをオンすれば最初に連続調光モードとなるので、常に省エネを操作者に意識させることができ、意識していなくとも連続調光モードが設定されることになる。
【００３４】
さらに、放電灯１１の照度を上限（最大照度）および下限（最小照度）で一定時間維持させるものであるから、最大照度や最小照度になったときの照度を認識し易いものとなり、最大照度や最小照度を選択する場合、その選択が非常に行い易いものとなる。
【００３５】
所望の照度での放電灯１１の点灯中に電源スイッチＳＷがオフされると（時点Ｔ４）、放電灯１１は消灯される。そして、第２内部タイマの計時時間が所定時間ｔ３に達する前に、すなわち、オフ時点Ｔ４から所定時間ｔ３以内に電源スイッチＳＷがオンされると（時点Ｔ５）、点灯制御回路１６は第２連続調光モード（第２調光モード）を設定して点灯回路１３を調光制御していく。また、電源スイッチＳＷのオンにより（時点Ｔ５）、第２内部タイマがリセットされ、第１内部タイマが計時を開始していく。
【００３６】
点灯回路１３の調光制御は、保安球１２を１００％で一定時間点灯させた後、保安球１２の照度を１０％まで漸減させていく。そして、この１０％照度を一定時間維持した後、保安球の照度を１００％まで漸増させていき、これら照度の漸減と漸増を電源スイッチＳＷが投入（オン）されている間だけ所定の周期で繰り返し行う。
【００３７】
そして、第１内部タイマの計時時間が所定時間ｔ１に達する前に、すなわち、電源スイッチＳＷのオン時点Ｔ５から所定時間ｔ１以内で電源スイッチＳＷがオフされると（時点Ｔ６）、このオフ時点Ｔ６の保安球１２の照度が図示しない内部メモリに記憶されるとともに保安球１２は消灯される。電源スイッチＳＷのオフにより（時点Ｔ６）、第１内部タイマがリセットされ、第２内部タイマが計時を開始していく。
【００３８】
第２内部タイマの計時時間が所定時間ｔ３に達する前に、すなわち、オフ時点Ｔ６から所定時間ｔ３以内で電源スイッチＳＷがオンされると（Ｔ７）、その内部メモリに記憶された照度で保安球１２が点灯維持される。
【００３９】
このように、所望の照度での放電灯１１の点灯中に電源スイッチＳＷをオンすると、第２連続調光モードとなって保安球１２が点灯されるとともにその照度が連続的に変化していき、所望の照度になったとき電源スイッチＳＷをオフすれば、その照度を選択することができるので、保安球１２の所望の照度の選択が容易なものとなる。しかも、照度の漸減と増減が繰り返し行われるので、最初に選択し損ねても次に所望の照度になったとき確実に選択することができる。
【００４０】
また、保安球１２の照度を上限（最大照度）および下限（最小照度）で一定時間維持させるものであるから、最大照度や最小照度になったときの照度を認識し易いもとなり、最大照度や最小照度を選択する場合、その選択が非常に行い易いものとなる。
【００４１】
この実施例では、保安球１２は、時点Ｔ６の照度で点灯維持されるが、放電灯１１の場合と同様に時点Ｔ６より所定時間ｔ２だけ戻った時点の照度で点灯維持するようにしてもよい。また、時点Ｔ６より所定時間ｔ２だけ進んだ時点の照度で点灯維持するようにしてもよい。
【００４２】
保安球１２が所望の照度で点灯維持されているとき、電源スイッチＳＷが所定時間ｔ３以内でオフ−オン操作がされると（時点Ｔ８〜Ｔ９）、放電灯１１が１００％の照度で点灯され（時点Ｔ９）、この後、時点Ｔ２で記憶された照度で放電灯１１が点灯される。また、保安球１２は時点Ｔ８で消灯される。
【００４３】
そして、電源スイッチＳＷがオフされると（時点Ｔ１０）、放電灯１１は消灯される。
【００４４】
次に、電源スイッチＳＷを所定時間ｔ１以上オンし続けた場合の動作を図３のタイムチャートに基づいて説明する。
【００４５】
電源スイッチＳＷが時点Ｔ１でオンされてから所定時間ｔ１以上経過すると（時点Ｔａ）、すなわち、第１内部タイマの計時時間が所定時間ｔ１を越えると、放電灯１１は照度６５％で点灯維持される。
【００４６】
この放電灯１１が照度６５％で点灯維持されているとき、電源スイッチＳＷがオフされると（時点Ｔｂ）、放電灯１１が消灯される。
【００４７】
そして、第２内部タイマの計時時間が所定時間ｔ３に達しないとき、すなわち、電源スイッチＳＷのオフ時点Ｔｂから所定時間ｔ３以内に電源スイッチＳＷがオンされると（時点Ｔｃ）、点灯制御回路１６は第２調光モードとなり、保安球１２を点灯させるとともに、上述のように保安球１２の照度の漸減と漸増を所定の周期で繰り返し行う。電源スイッチＳＷのオンにより（時点Ｔｃ）、第１内部タイマが計時を開始していく。
【００４８】
この第１内部タイマの計時間が所定時間ｔ１を越えたとき、すなわち、電源スイッチＳＷのオン時点Ｔｃから所定時間ｔ１が経過すると（時点Ｔｄ）、保安球１２は６５％の照度で点灯維持される。
【００４９】
そして、電源スイッチＳＷがオフされると（時点Ｔｅ）、保安球１２は消灯され、電源スイッチＳＷのオフ時点Ｔｅから所定時間ｔ３以内に電源スイッチＳＷがオンされなければ消灯モードとなり、放電灯１１および保安球１２は電源スイッチＳＷがオンされるまで消灯し続けることになる。
【００５０】
このように、消灯モード時に電源スイッチＳＷをオン操作すれば、連続調光モードとなるので、意識しなくても連続調光モードを設定することができ、しかも電源スイッチＳＷの１回のオン操作でよいので、その電源スイッチＳＷの操作回数は非常に少ないものとなる。
【００５１】
また、計測回路１５の計測時間と電源投入・遮断検出回路１４の検出とに基づいて点灯回路１３を点灯制御回路１６で制御して、放電灯１１や保安球１２の点灯・消灯や調光を行うようにしたものであるから、複雑な機械的な構造を必要とせず、このため小型軽量化を図ることができる。
【００５２】
上記実施例では、電源スイッチＳＷの操作２回目〜５回目のオフ−オン時間が所定時間ｔ３を越えるか否かを判断するが、この所定時間ｔ３は各操作２回目〜５回目とも同じ時間である必要はない。
【００５３】
また、上記実施例では、電源スイッチＳＷをオフした時点Ｔ２よりも所定時間ｔ２だけ戻った時点Ｔ２′の照度で放電灯１１を点灯維持するが、オフした時点Ｔ２の照度で点灯維持するようにしても良く、また、オフした時点Ｔ２よりも所定時間ｔ２だけ進んだ時点の照度で放電灯１１を点灯維持させるようにしてもよい。
【００５４】
上記実施例は、放電灯１１と保安球１２の調光や消灯・点灯を行う照明装置について説明したが、これに限らず例えば白熱電球と補助ランプの調光や消灯・点灯を行う照明装置であってもよい。
【図面の簡単な説明】
【００５５】
【図１】この発明に係る照明装置の構成を示したブロック図である。
【図２】図１に示す照明装置の動作を示すタイムチャートである。
【図３】図１に示す照明装置の動作を示す別なタイムチャートである。
【符号の説明】
【００５６】
１０        照明装置
１１        放電灯（第１発光手段）
１２        保安球（第２発光手段）
１３        点灯回路
１４        電源投入・遮断検出回路
１５        計測回路
１６        点灯制御回路（制御手段）
ＳＷ        電源スイッチ
【図１】
2010113877.tif 000003
【図２】
2010113877.tif 000004
【図３】
2010113877.tif 000005